【手続補正書】
【提出日】平成17年3月9日(2005.3.9)
【手続補正１】
【補正対象書類名】明細書
【補正対象項目名】発明の名称
【補正方法】変更
【補正の内容】
【発明の名称】通信装置
【手続補正２】
【補正対象書類名】明細書
【補正対象項目名】特許請求の範囲
【補正方法】変更
【補正の内容】
【特許請求の範囲】
【請求項１】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
電子メールを用いて画情報を送信する際、ユーザにより指定されたメールアドレスを、返信用メールアドレスとして、画情報を運ぶ電子メールのヘッダ情報に挿入する画情報送信手段を備えたことを特徴とする通信装置。
【請求項２】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
所定の桁数の数字からなるユーザコードと、そのユーザコードに登録されているメールアドレスを対応づけて記憶したユーザコードテーブル手段と、
電子メールを用いて画情報を送信する際、ユーザにより指定されたユーザコードに対応したメールアドレスを上記ユーザコードテーブル手段より取り出し、その取り出したメールアドレスを、返信用メールアドレスとして、画情報を運ぶ電子メールのヘッダ情報に挿入する画情報送信手段を備えたことを特徴とする通信装置。
【請求項３】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
電子メールを用いて画情報を送信する際、ユーザにより操作入力されたメールアドレスを、返信用メールアドレスとして、画情報を運ぶ電子メールのヘッダ情報に挿入する画情報送信手段を備えたことを特徴とする通信装置。
【請求項４】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
所定の桁数の数字からなるユーザコードと、そのユーザコードに登録されているメールアドレスを対応づけて記憶したユーザコードテーブル手段と、
電子メールを用いて画情報を送信する際、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、返信用メールアドレスとして、画情報を運ぶ電子メールのヘッダ情報に挿入する画情報送信手段を備えたことを特徴とする通信装置。
【請求項５】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
所定の桁数の数字からなるユーザコードと、そのユーザコードに登録されているメールアドレスを対応づけて記憶したユーザコードテーブル手段と、
電子メールを用いて画情報を送信する際、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたことを特徴とする通信装置。
【請求項６】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
電子メールを用いて画情報を送信する際、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたことを特徴とする通信装置。
【請求項７】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
電子メールを用いて画情報を送信する際、ＭＤＮ要求情報を画情報を運ぶ電子メールのヘッダ情報に挿入するとともに、そのＭＤＮ送付先のメールアドレスとして、ユーザにより指定されたメールアドレスをセットする画情報送信手段を備えたことを特徴とする通信装置。
【請求項８】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
所定の桁数の数字からなるユーザコードと、そのユーザコードに登録されているメールアドレスを対応づけて記憶したユーザコードテーブル手段と、
電子メールを用いて画情報を送信する際、ＭＤＮ要求情報を画情報を運ぶ電子メールのヘッダ情報に挿入する一方、ユーザにより指定されたユーザコードに対応したメールアドレスを上記ユーザコードテーブル手段より取り出し、その取り出したメールアドレスを、ＭＤＮ送付先のメールアドレスとしてセットする画情報送信手段を備えたことを特徴とする通信装置。
【請求項９】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
電子メールを用いて画情報を送信する際、ＭＤＮ要求情報を画情報を運ぶ電子メールのヘッダ情報に挿入する一方、ユーザにより操作入力されたメールアドレスを、ＭＤＮ送付先のメールアドレスとしてセットする画情報送信手段を備えたことを特徴とする通信装置。
【請求項１０】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
所定の桁数の数字からなるユーザコードと、そのユーザコードに登録されているメールアドレスを対応づけて記憶したユーザコードテーブル手段と、
電子メールを用いて画情報を送信するとき、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、ＭＤＮ送付先のメールアドレスとしてセットする画情報送信手段を備えたことを特徴とする通信装置。
【請求項１１】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
所定の桁数の数字からなるユーザコードと、そのユーザコードに登録されているメールアドレスを対応づけて記憶したユーザコードテーブル手段と、
電子メールを用いて画情報を送信する際、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたことを特徴とする通信装置。
【請求項１２】
一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、
電子メールを用いて画情報を送信する際、ＭＤＮ要求情報を画情報を運ぶ電子メールのヘッダ情報に挿入する一方、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたことを特徴とする通信装置。
【手続補正３】
【補正対象書類名】明細書
【補正対象項目名】０００１
【補正方法】変更
【補正の内容】
【０００１】
【発明の属する技術分野】
本発明は、一般公衆網に接続し、この一般公衆網を介して画情報をやりとりする通信機能と、ネットワークに接続し、このネットワークを介し、電子メールを用いて画情報をやりとりする電子メール通信機能を備えた通信装置に関する。
【手続補正４】
【補正対象書類名】明細書
【補正対象項目名】０００６
【補正方法】変更
【補正の内容】
【０００６】
本発明は、かかる実情に鑑みてなされたものであり、送信結果をより迅速にユーザに通知することができる通信装置を提供することを目的としている。
【手続補正５】
【補正対象書類名】明細書
【補正対象項目名】０００７
【補正方法】変更
【補正の内容】
【０００７】
【課題を解決するための手段】
本発明は、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、電子メールを用いて画情報を送信する際、ユーザにより指定されたメールアドレスを、返信用メールアドレスとして、画情報を運ぶ電子メールのヘッダ情報に挿入する画情報送信手段を備えたものである。
【手続補正６】
【補正対象書類名】明細書
【補正対象項目名】０００８
【補正方法】変更
【補正の内容】
【０００８】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応したメールアドレスを上記ユーザコードテーブル手段より取り出し、その取り出したメールアドレスを、返信用メールアドレスとして、画情報を運ぶ電子メールのヘッダ情報に挿入する画情報送信手段を備えたものである。
【手続補正７】
【補正対象書類名】明細書
【補正対象項目名】０００９
【補正方法】変更
【補正の内容】
【０００９】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、電子メールを用いて画情報を送信する際、ユーザにより操作入力されたメールアドレスを、返信用メールアドレスとして、画情報を運ぶ電子メールのヘッダ情報に挿入する画情報送信手段を備えたものである。
【手続補正８】
【補正対象書類名】明細書
【補正対象項目名】００１０
【補正方法】変更
【補正の内容】
【００１０】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、返信用メールアドレスとして、画情報を運ぶ電子メールのヘッダ情報に挿入する画情報送信手段を備えたものである。
【手続補正９】
【補正対象書類名】明細書
【補正対象項目名】００１１
【補正方法】変更
【補正の内容】
【００１１】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたものである。
【手続補正１０】
【補正対象書類名】明細書
【補正対象項目名】００１２
【補正方法】変更
【補正の内容】
【００１２】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、電子メールを用いて画情報を送信する際、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたものである。
【手続補正１１】
【補正対象書類名】明細書
【補正対象項目名】００１３
【補正方法】変更
【補正の内容】
【００１３】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、電子メールを用いて画情報を送信する際、ＭＤＮ要求情報を画情報を運ぶ電子メールのヘッダ情報に挿入するとともに、そのＭＤＮ送付先のメールアドレスとして、ユーザにより指定されたメールアドレスをセットする画情報送信手段を備えたものである。
【手続補正１２】
【補正対象書類名】明細書
【補正対象項目名】００１４
【補正方法】変更
【補正の内容】
【００１４】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、所定の桁数の数字からなるユーザコードと、そのユーザコードに登録されているメールアドレスを対応づけて記憶したユーザコードテーブル手段と、電子メールを用いて画情報を送信する際、ＭＤＮ要求情報を画情報を運ぶ電子メールのヘッダ情報に挿入する一方、ユーザにより指定されたユーザコードに対応したメールアドレスを上記ユーザコードテーブル手段より取り出し、その取り出したメールアドレスを、ＭＤＮ送付先のメールアドレスとしてセットする画情報送信手段を備えたものである。
【手続補正１３】
【補正対象書類名】明細書
【補正対象項目名】００１５
【補正方法】変更
【補正の内容】
【００１５】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、電子メールを用いて画情報を送信する際、ＭＤＮ要求情報を画情報を運ぶ電子メールのヘッダ情報に挿入する一方、ユーザにより操作入力されたメールアドレスを、ＭＤＮ送付先のメールアドレスとしてセットする画情報送信手段を備えたものである。
【手続補正１４】
【補正対象書類名】明細書
【補正対象項目名】００１６
【補正方法】変更
【補正の内容】
【００１６】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、所定の桁数の数字からなるユーザコードと、そのユーザコードに登録されているメールアドレスを対応づけて記憶したユーザコードテーブル手段と、電子メールを用いて画情報を送信するとき、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、ＭＤＮ送付先のメールアドレスとしてセットする画情報送信手段を備えたものである。
【手続補正１５】
【補正対象書類名】明細書
【補正対象項目名】００１７
【補正方法】変更
【補正の内容】
【００１７】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、所定の桁数の数字からなるユーザコードと、そのユーザコードに登録されているメールアドレスを対応づけて記憶したユーザコードテーブル手段と、電子メールを用いて画情報を送信する際、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたものである。
【手続補正１６】
【補正対象書類名】明細書
【補正対象項目名】００１８
【補正方法】変更
【補正の内容】
【００１８】
また、一般公衆網に接続し、この一般公衆網を介して画情報をやりとりする通信機能と、ネットワークに接続し、このネットワークを介し、電子メールを用いて画情報をやりとりする電子メール通信機能を備えた通信装置において、電子メールを用いて画情報を送信する際、ＭＤＮ要求情報を画情報を運ぶ電子メールのヘッダ情報に挿入する一方、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたものである。